(57)【要約】【課題】  水を外側に漏れ難くすることができるシャンプーボール装置および水流防水部材を提供する。【解決手段】  被施術者の頭部が施術されるボール部１１に形成されて被施術者の頸部が配置される首受け凹部が形成されたシャンプーボール装置１０において、水平水流１００を塞き止めるためにボール部１１の内側に向けて隆起する段部５１が、水流防水部材４０の水平水流防水片部４５によって首受け凹部の側縁部１５に形成され、さらに、鉛直水流を塞き止めるためにボール部１１の内側に向けて突出する鉛直水流防水片部４７が水流防水部材４０に備えられている。【選択図】  図６
2017077378.tif 000002
【特許請求の範囲】
【請求項１】
被施術者の頭部が施術されるボール部に形成されて前記被施術者の頸部が配置される首受け凹部が、前記ボール部における周縁よりも低く形成された首受け縁部と、この首受け縁部と前記周縁とが連接された側縁部とから構成されたシャンプーボール装置において、
前記ボール部の内側に向けて隆起する段部が前記側縁部に形成された、
ことを特徴とするシャンプーボール装置。
【請求項２】
前記ボール部の内面に沿って前記側縁部に向けて流れる水平水流を塞き止める水平水流防水部材が前記側縁部の内側に備えられ、この水平水流防水部材によって前記段部が形成された、
ことを特徴とする請求項１に記載されたシャンプーボール装置。
【請求項３】
前記首受け縁部と前記ボール部の内面との間に、平坦な水平部が形成された、
ことを特徴とする請求項１または請求項２に記載されたシャンプーボール装置。
【請求項４】
前記ボール部の内面に沿って前記首受け縁部に向けて流れる鉛直水流を塞き止める鉛直水流防水部材が、前記首受け縁部の内側から前記ボール部の内側に向けて突出して形成された、
ことを特徴とする請求項１から請求項３のいずれか１項に記載されたシャンプーボール装置。
【請求項５】
前記首受け縁部と前記鉛直水流防水部材との間に、前記ボール部の内面に連接された溝部が形成された、
ことを特徴とする請求項４に記載されたシャンプーボール装置。
【請求項６】
被施術者の頭部が施術されるシャンプーボール装置のボール部に形成されて前記被施術者の頸部が配置される首受け凹部に、頭部支持器具を介して取り付けられた取付本体部と、
前記取付本体部の両側方に備えられ、前記首受け凹部のうち、前記ボール部における周縁よりも低く形成された首受け縁部と前記周縁とが連接された側縁部に、前記ボール部の内側に向けて隆起する段部を形成する水平水流防水部材と、が備えられた、
ことを特徴とする水流防水部材。
【発明の詳細な説明】
【技術分野】
【０００１】
本発明は、例えば理美容施設などで被施術者の頭髪を洗髪する際に用いられるシャンプーボール装置および水流防水部材に関するものである。
【背景技術】
【０００２】
従来、理美容施設などにおいて、施術者が被施術者の頭髪を洗髪する際、被施術者は仰向けに寝てシャンプーボールに頭部を置く。その際に用いられるシャンプーボールとして、例えば下記特許文献１に記載されたシャンプーボール装置がある。このシャンプーボール装置のシャンプーボールは、縁の一部分が陥没して凹部が形成され、この凹部に被施術者の頭部および頸部が配置される。
【先行技術文献】
【特許文献】
【０００３】
【特許文献１】特開２００５−２８７８１４号公報
【発明の概要】
【発明が解決しようとする課題】
【０００４】
しかし、上記したとおり、シャンプーボールの凹部は、縁の一部分が陥没し、縁の他の部分よりも低く形成されているため、水が凹部からシャンプーボールの外側に漏れる場合がある。例えば、シャンプーボールに水を溜めて施術が行われるヘッドスパなどにおいては、施術時の振動によって、シャンプーボールの水平方向と鉛直方向に波が分岐し、水が凹部からシャンプーボールの外側に漏れ易くなる。
【０００５】
本発明は、上記の実情に鑑みて提案されたものである。すなわち、水を外側に漏れ難くすることができるシャンプーボール装置および水流防水部材の提供を目的とする。
【課題を解決するための手段】
【０００６】
上記目的を達成するために、本発明に係るシャンプーボール装置は、被施術者の頭部が施術されるボール部に形成されて前記被施術者の頸部が配置される首受け凹部が、前記ボール部における周縁よりも低く形成された首受け縁部と、この首受け縁部と前記周縁とが連接された側縁部とから構成されたシャンプーボール装置において、前記ボール部の内側に向けて隆起する段部が前記側縁部に形成された、ことを特徴とする。
【０００７】
本発明に係るシャンプーボール装置は、前記ボール部の内面に沿って前記側縁部に向けて流れる水平水流を塞き止める水平水流防水部材が前記側縁部の内側に備えられ、この水平水流防水部材によって前記段部が形成された、ことを特徴とする。
【０００８】
本発明に係るシャンプーボール装置は、前記首受け縁部と前記ボール部の内面との間に、平坦な水平部が形成された、ことを特徴とする。
【０００９】
本発明に係るシャンプーボール装置は、前記ボール部の内面に沿って前記首受け縁部に向けて流れる鉛直水流を塞き止める鉛直水流防水部材が、前記首受け縁部の内側から前記ボール部の内側に向けて突出して形成された、ことを特徴とする。
【００１０】
本発明に係るシャンプーボール装置は、前記首受け縁部と前記鉛直水流防水部材との間に、前記ボール部の内面に連接された溝部が形成された、ことを特徴とする。
【００１１】
本発明に係る水流防水部材は、被施術者の頭部が施術されるシャンプーボール装置のボール部に形成されて前記被施術者の頸部が配置される首受け凹部に、頭部支持器具を介して取り付けられた取付本体部と、前記取付本体部の両側方に備えられ、前記首受け凹部のうち、前記ボール部における周縁よりも低く形成された首受け縁部と前記周縁とが連接された側縁部に、前記ボール部の内側に向けて隆起する段部を形成する水平水流防水部材と、が備えられた、ことを特徴とする。
【発明の効果】
【００１２】
本発明に係るシャンプーボール装置は上記した構成である。この構成により、ボール部の内面に沿って流れる水が、側縁部で段部に衝突して塞き止められる。したがって、水を外側に漏れ難くすることができる。
【００１３】
本発明に係るシャンプーボール装置は、ボール部の内面に沿って側縁部に向けて流れる水平水流を塞き止める水平水流防水部材が側縁部の内側に備えられ、この水平水流防水部材によって段部が形成されている。すなわち、水平水流が側縁部で水平水流防水部材に衝突して塞き止められる。したがって、水を外側に漏れ難くすることができる。
【００１４】
本発明に係るシャンプーボール装置は、首受け縁部とボール部の内面との間に、平坦な水平部が形成されている。水平部により、首受け縁部とボール部の内面との間に間隔が形成され、ボール部の内面に沿って流れる水の勢いは水平部で減殺される。したがって、水を外側に漏れ難くすることができる。
【００１５】
本発明に係るシャンプーボール装置は、ボール部の内面に沿って首受け縁部に向けて流れる鉛直水流を塞き止める鉛直水流防水部材が、首受け縁部の内側からボール部の内側に向けて突出して形成されている。すなわち、鉛直水流が首受け縁部で鉛直水流防水部材に衝突して塞き止められる。したがって、水を外側に漏れ難くすることができる。
【００１６】
本発明に係るシャンプーボール装置は、首受け縁部と鉛直水流防水部材との間に、ボール部の内面に連接された溝部が形成されている。この構成により、仮に水が鉛直水流防水部材を乗り越え、首受け縁部が浸水した場合であっても、水は溝部に流れてボール部の内面に沿って排水される。したがって、水を外側に漏れ難くすることができる。
【００１７】
本発明に係る水流防水部材は、被施術者の頭部が施術されるシャンプーボール装置のボール部に形成されて被施術者の頸部が配置される首受け凹部に、頭部支持器具を介して取り付けられた取付本体部と、取付本体部の両側方に備えられ、首受け凹部のうち、ボール部における周縁よりも低く形成された首受け縁部と周縁とが連接された側縁部に、ボール部の内側に向けて隆起する段部を形成する水平水流防水部材と、が備えられている。この構成により、ボール部の内面に沿って流れる水が、側縁部で段部を形成する水平水流防水部材に衝突して塞き止められる。したがって、水を外側に漏れ難くすることができる。
【図面の簡単な説明】
【００１８】
【図１】本発明の第一実施形態に係るシャンプーボール装置が備えられた可搬式シャンプーボール装置が示された外観斜視図である。
【図２】本発明の第一実施形態に係るシャンプーボール装置のボール部が示され、（ａ）が斜視図、（ｂ）が上方から視した平面図である。
【図３】本発明の第一実施形態に係るシャンプーボール装置の外観および断面が示され、（ａ）が斜視図、（ｂ）が平面図、（ｃ）が手前側から視した正面図、（ｄ）が側方から視した右側面図、（ｅ）が奥側から視した背面図、（ｆ）がＡ−Ａ右側断面図である。
【図４】本発明の第一実施形態に係るシャンプーボール装置に備えられる頭部支持器具が示され、（ａ）が斜視図、（ｂ）が正面図、（ｃ）が背面図である。
【図５】本発明の第一実施形態に係る水流防水部材が示され、（ａ）が斜視図、（ｂ）が正面図、（ｃ）が背面図である。
【図６】本発明の第一実施形態に係るシャンプーボール装置の要部拡大斜視図である。
【図７】本発明の第一実施形態に係るシャンプーボール装置の要部拡大断面図である。
【図８】本発明の第二実施形態に係るシャンプーボール装置の要部拡大斜視図である。
【図９】本発明の第三実施形態に係る水流防水部材が示され、（ａ）が斜視図、（ｂ）が正面図、（ｃ）が背面図である。
【図１０】本発明の第三実施形態に係るシャンプーボール装置の要部拡大斜視図である。
【図１１】本発明の第四実施形態に係るシャンプーボール装置の要部拡大斜視図である。
【発明を実施するための形態】
【００１９】
以下に、本発明の第一実施形態に係るシャンプーボール装置および水流防水部材を図面に基づいて説明する。図１は、本発明の実施形態に係るシャンプーボール装置１０が備えられた可搬式シャンプー装置１の外観が示されている。シャンプーボール装置１０は、仰向けに横たわった被施術者（図示省略）の頭部や頸部（以下、頭部や頸部を「頭部など」と記す。）が配置されるボール部１１に、頭部などが支持される頭部支持器具２０と、この頭部支持器具２０に取り付けられた水流防水部材４０とが備えられている。なお、以下の説明では、図１において、頭部支持器具２０が備えられている側を手前側とし、この手前側の反対側を奥側とし、手前側から視して側方を左右側とし、ボール部１１の深さ方向を上方および下方とする。
【００２０】
図１に示されているとおり、可搬式シャンプー装置１は、キャスター２が取り付けられた可搬装置３と、この可搬装置３の上方部に取り付けられたシャンプーボール装置１０とから構成されている。可搬装置３は、シャンプーボール装置１０への給排水用の配管などが備えられ、この配管が、床に設けられた給排水設備（図示せず）に接続される。また、可搬装置３は、キャスター２によって自在に移動させることができるため、使用時にのみ、床の給排水設備の近辺に移動させ、不使用時には他の場所へ移動させることができる。なお、シャンプーボール装置１０は、可搬式シャンプー装置以外にも取り付けることができるため、固定式であってもよい。
【００２１】
次に、シャンプーボール装置１０を図面に基づいて説明する。図２は、本発明の実施形態に係るシャンプーボール装置１０のボール部１１が示され、図３は、シャンプーボール装置１０が示されている。
【００２２】
図２に示されているとおり、ボール部１１は例えば陶器製であり、ほぼ四角形に形成されて上面が開放されている。ボール部１１の下方側である底面は湾曲し、ほぼ中央に排水口４が形成されている。ボール部１１の奥側における右側方の隅は、水量を調節するバルブ５が備えられ、奥側における左側方の隅は、水を噴射させるシャワーヘッド６が備えられている。
【００２３】
ボール部１１における周縁１３のうち手前側は、施術者の頭部などが配置される首受け凹部１２が形成されている。この首受け凹部１２は、ボール部１１を手前側から視してほぼ“Ｕ”字状に形成された溝であり、頭部支持器具２０が収まる大きさに形成されている。首受け凹部１２は、ボール部１１における周縁１３よりも低く形成された首受け縁部１４と、この首受け縁部１４と周縁１３とが連接された側縁部１５とから形成されている。首受け縁部１４とボール部１１の内面との間は段が設けられ、平坦な水平部１６が形成されている。水平部１６は、頭部支持器具２０を固定するためのネジ取付部７が二個所に形成されている。側縁部１５は、首受け縁部１４における左右両側方の端から、ボール部１１の左右両側方における上方の周縁１３に渡って連接されている。
【００２４】
このようなボール部１１を流れる水は、シャワーヘッド６からの噴射の他、ボール部１１の内面に沿って側縁部１５に向けて流れる水平水流１００と、ボール部１１の内面に沿って首受け縁部１４に向けて流れる鉛直水流１０１とがある。
【００２５】
図３に示されているとおり、頭部などが支持される頭部支持器具２０は水平部１６に取り付けられ、この頭部支持器具２０に、水平水流１００および鉛直水流１０１を塞き止める水流防水部材４０が取り付けられている。なお、水流防水部材４０は、シャワーヘッド６から噴射される水が外側に漏れることも防止することができる。
【００２６】
ここで、頭部支持器具２０を図面に基づいて説明する。図４は、第一実施形態に係るシャンプーボール装置１０のボール部１１に取り付けられる頭部支持器具２０の外観が示されている。
【００２７】
図４に示されているとおり、頭部支持器具２０は、水平部１６に取り付けられる支持基台部材２１と、この支持基台部材２１に支持された頭部支持部材２４とから構成されている。支持基台部材２１は、長手の板状に形成された基台底部２２と、この基台底部２２の両端から上方に向けて基台底部２２と直角に連接された基台柱部２３とが備えられている。一方、頭部支持部材２４は、長手の棒状に形成された頭部支持基部２５と、この頭部支持基部２５の両端から上方に向けて頭部支持基部２５と直角に連接されると共に手前側に向けて扇状に湾曲した連接部２６と、頭部などの形状に倣って湾曲して形成されて連接部２６の上端同士に連接された頸部載置部２７とから構成されている。
【００２８】
頭部支持部材２４は、支持基台部材２１の基台柱部２３間に配置された状態で、連接部２６が軸を介して基台柱部２３に連結され、回転自在に支持されている。頭部支持部材２４は、頭部などの載置状態に応じて軸を介して揺動し、支持基台部材２１に対して角度が変化する。
【００２９】
次に、水流防水部材４０を図面に基づいて説明する。図５は、第一実施形態に係る水流防水部材４０の外観が示されている。
【００３０】
図５に示されているとおり、水流防水部材４０は、扁平な部材が二つに折り曲げられて形成された取付本体部４１と、この取付本体部４１の両側方に形成された水平水流防水部材としての水平水流防水片部４５と、取付本体部４１の下方に形成された二つの着脱片部４６と、この着脱片部４６と同様に、取付本体部４１の下方に形成された鉛直水流防水部材としての鉛直水流防水片部４７とから構成されている。
【００３１】
詳説すれば、取付本体部４１は、折り曲げられたことで対面した二枚のカバーである手前側カバー部４２および奥側カバー部４３と、各カバー部４２，４３が連接された折り曲げ部分であって頭部などが載置される頸部載置カバー部４４とから構成されている。手前側カバー部４２は、側方に向けて長手の四辺形に形成されている。一方、奥側カバー部４３は、水平水流防水片部４５と、着脱片部４６と、鉛直水流防水片部４７とが形成されている。水平水流防水片部４５は、奥側カバー部４３の側方に向けて手前側カバー部４２よりも突出して形成され、着脱片部４６は、奥側カバー部４３の下方に向けて手前側カバー部４２よりも突出して形成され、鉛直水流防水片部４７は、二つの着脱片部４６の間に配置され、奥側カバー部４３の下方に向けて手前側カバー部４２よりも突出して形成されている。着脱片部４６は、先端と基側に一対のボタン４８が取り付けられている。
【００３２】
次に、頭部支持器具２０および水流防水部材４０の取り付け状態を図面に基づいて説明する。図６および図７は、頭部支持器具２０および水流防水部材４０の取り付け状態が示されている。
【００３３】
図６および図７に示されているとおり、頭部支持器具２０は、頭部支持部材２４の頸部載置部２７が手前側に向けられて支持基台部材２１の基台底部２２がボール部１１の水平部１６に取り付けられる。さらに、水平部１６に、鉛直水流１０１を塞き止める鉛直水流防水部材としての鉛直水流防水壁５０が取り付けられる。この鉛直水流防水壁５０は、首受け縁部１４の内側からボール部１１の内側に向けて突出し、水平部１６を覆う大きさである。その際、首受け縁部１４と基台底部２２（鉛直水流防水壁５０）との間を空けることで溝部４９を形成する。溝部４９は、側方に向けてボール部１１の内面と連接している。
【００３４】
この状態で、頭部支持器具２０に水流防水部材４０が取り付けられる。詳説すれば、水流防水部材４０は、本体取付部４１の手前側カバー部４２が手前側に向けられ、奥側カバー部４３が奥側に向けられた状態で、頸部載置カバー部４４が頸部載置部２７に被せられる。その際、奥側カバー部４３は、頸部載置部２７と頭部支持基部２５との間に入れられ、鉛直水流防水片部４７および着脱片部４６が頭部支持基部２５と基台底部２２との間に入れられる。鉛直水流防水片部４７は、ボール部１１の内側に突出し、一方、着脱片部４６は、頭部支持基部２５に巻き付けられてボタン４８で留められる。また、水平水流防水片部４５は側縁部１５の内側に配置され、この水平水流防水片部４５によって、ボール部１１の内側に向けて隆起する段部５１が側縁部１５に形成される。このことにより、首受け凹部１２は水流防水部材４０によって内側と外側とが遮蔽される。
【００３５】
上記のとおり、シャンプーボール装置１０および水流防水部材４０が構成されている。この状態で、仰向けに寝かされた被施術者の頭部などが、頸部載置部２７（頸部載置カバー部４４）に載置されることでボール部１１内に配置される。施術として、例えば、シャンプーやヘッドスパなどが行われる際、水平水流１００と鉛直水流１０１とが発生し、各水流１００，１０１が首受け凹部１２に向けて流れる。首受け凹部１２では、水流防水部材４０の水平水流防水片部４５によって、ボール部１１の内側に向けて隆起する段部５１が側縁部１５に形成されているため、水平水流１００が、この段部５１に衝突し、また、水平水流防水片部４５によって塞き止められることで、外側への漏水が抑止される。また、シャワーヘッド６から噴射された水も、水平水流防水片部４５に当たることで、外側への漏水が抑止される。さらに首受け凹部１２では、鉛直水流防水片部４７および鉛直水流防水壁５０が取り付けられているため、鉛直水流１０１が鉛直水流防水片部４７および鉛直水流防水壁５０に衝突して塞き止められることで、外側への漏水が抑止される。
【００３６】
次に、第一実施形態の効果を説明する。
【００３７】
上記したとおり、第一実施形態によれば、頭部支持器具２０に取り付けられる水流防水部材４０は、扁平な部材が二つに折り曲げられて形成された取付本体部４１が、手前側カバー部４２および奥側カバー部４３と、各カバー部４２，４３が連接された折り曲げ部分であって頭部などが載置される頸部載置カバー部４４とから構成されている。奥側カバー部４３は、水平水流防水片部４５が、奥側カバー部４３の側方に向けて手前側カバー部４２よりも突出して形成されている。水平水流防水片部４５は側縁部１５の内側に配置され、この水平水流防水片部４５によって、ボール部１１の内側に向けて隆起する段部５１が側縁部１５に形成される。このことにより、首受け凹部１２は水流防水部材４０によって内側と外側とが遮蔽される。この構成により、ボール部１１の内面に沿って流れる水平水流１００が、側縁部１５で段部５１に衝突し、また、水平水流防水片部４５によって塞き止められる。また、シャワーヘッド６から噴射された水が手前側に向けられた場合であっても、水は水平水流防水片部４５に当たる。したがって、水平水流１００を外側に漏れ難くすることができる。
【００３８】
さらに、第一実施形態によれば、奥側カバー部４３は、鉛直水流防水片部４７が二つの着脱片部４６の間に配置され、奥側カバー部４３の下方に向けて手前側カバー部４２よりも突出して形成されている。頭部支持器具２０に水流防水部材４０が取り付けられる際、鉛直水流防水片部４７は、ボール部１１の内側に突出する。この構成により、水流防水部材４０に衝突した各水流１００，１０１は、鉛直水流防水片部４７に沿って流れてボール部１１の内面に沿って排水される。また、鉛直水流１０１が鉛直水流防水片部４７に衝突して塞き止められる。したがって、水を外側に漏れ難くすることができる。
【００３９】
第一実施形態によれば、鉛直水流防水壁５０は、首受け縁部１４の内側からボール部１１の内側に向けて突出して形成され、水平部１６を覆う大きさである。この構成により、鉛直水流１０１が鉛直水流防水壁５０に衝突して塞き止められる。したがって、水を外側に漏れ難くすることができる。
【００４０】
第一実施形態によれば、首受け縁部１４とボール部１１の内面との間に段が設けられ、平坦な水平部１６が形成されている。水平部１６により、首受け縁部１４とボール部１１の内面との間に間隔が形成され、ボール部１１の内面に沿って流れる各水流１００，１０１の勢いが水平部１６で減殺される。したがって、水を外側に漏れ難くすることができる。
【００４１】
さらに、第一実施形態によれば、水平部１６に鉛直水流防水壁５０が取り付けられる際、首受け縁部１４と基台底部２２（鉛直水流防水壁５０）との間を空けることで溝部４９が形成されている。溝部４９は、側方に向けてボール部１１の内面と連接している。この構成により、仮に鉛直水流１０１が鉛直水流防水壁５０を乗り越え、首受け縁部１４が浸水した場合であっても、鉛直水流１０１は溝部４９に流れてボール部１１の内面に沿って排水される。したがって、水を外側に漏れ難くすることができる。
【００４２】
上記したとおり、第一実施形態によれば水を外側に漏れ難くすることができるため、ボール部１１に水を溜めてヘッドスパなどの施術を行うことができる。また、首受け凹部の幅を広く設けることができる。
【００４３】
次に、本発明の他の実施形態を図面に基づいて説明する。図８は、本発明の第二実施形態に係るシャンプーボール装置１１０が示されている。図９は、本発明の第三実施形態に係るシャンプーボール装置２１０の水流防水部材１４０が示され、図１０は、水流防水部材１４０が備えられたシャンプーボール装置２１０が示されている。図１１は、本発明の第四実施形態に係るシャンプーボール装置３１０が示されている。なお、以下では、第一実施形態と異なる構成のみについて説明し、同一の構成については説明を省略して同一の符号を使って図面に示す。
【００４４】
図８に示されているとおり、第二実施形態に係るシャンプーボール装置１１０は、鉛直水流防水壁５０がない構成である。この構成であれば、ボール部１１の内側に向けて突出した部分が少ないため、施術中において施術者が被施術者の頭部を手で支持する際や洗髪する際などにおいて、施術の妨げとならない。また、水流防水部材４０の鉛直水流防水片部４７がボール部１１の内側に向けて突出しているため、鉛直水流１０１が鉛直水流防水片部４７に衝突して塞き止められる。したがって、水を外側に漏れ難くすることができる。
【００４５】
図９に示されているとおり、第三実施形態に係る水流防水部材１４０は、扁平な部材が二つに折り曲げられて対面した二枚のカバーである手前側カバー部１４２と奥側カバー部１４３とが形成された取付本体部１４１と、この取付本体部１４１の両側方に着脱自在に取り付けられた水平水流防水部材としての水平水流防水片部１４５とから構成されている。すなわち、上記した第一実施形態に係る水流防水部材４０と比較して、第三実施形態に係る水流防水部材１４０は、取付本体部１４１の手前側カバー部１４２に対して水平水流防水片部１４５が着脱自在である点と、着脱片部４６および鉛直水流防水片部４７が形成されていない点が異なり、他の構成は同じである。
【００４６】
図１０に示されているとおり、第三実施形態に係るシャンプーボール装置２１０は、水流防水部材１４０に着脱片部４６および鉛直水流防水片部４７が形成されていないため、頭部支持器具２０への着脱が容易である。鉛直水流防水壁５０がボール部１１の内側に向けて突出しているため、鉛直水流１０１が鉛直水流防水壁５０に衝突して塞き止められる。したがって、簡便な構成で水を外側に漏れ難くすることができる。また、水平水流防水片部１４５を取り外した状態であれば、水流防水部材１４０をクッションとしてのみ利用することができる。換言すれば、既存のクッションに水平水流防水片部１４５を取り付けることで、水流防水部材１４０として利用することができる。
【００４７】
さらに、図１１に示されているとおり、第四実施形態に係るシャンプーボール装置３１０のように、鉛直水流防水壁５０が形成されず、頭部支持器具２０の基台底部２２が直線状に形成されていてもよく、この場合、基台底部２２が鉛直水流防水部材として機能する。したがって、水を外側に漏れ難くすることができる。
【００４８】
以上、本発明の実施形態を詳述したが、本発明は上記実施形態に限定されるものではない。そして本発明は、特許請求の範囲に記載された事項を逸脱することがなければ、種々の設計変更を行うことが可能である。
【符号の説明】
【００４９】
１                    可搬式シャンプー装置
２                    キャスター
３                    可搬装置
４                    排水口
５                    バルブ
６                    シャワーヘッド
７                    ネジ取付部
１０，１１０，２１０，３１０  シャンプーボール装置
１１                  ボール部
１２                  首受け凹部
１３                  周縁
１４                  首受け縁部
１５                  側縁部
１６                  水平部
２０                  頭部支持器具
２１                  支持基台部材
２２                  基台底部
２３                  基台柱部
２４                  頭部支持部材
２５                  頭部支持基部
２６                  連接部
２７                  頸部載置部
４０，１４０            水流防水部材
４１，１４１          取付本体部
４２，１４２          手前側カバー部
４３，１４３          奥側カバー部
４４，１４４          頸部載置カバー部
４５，１４５          水平水流防水片部（水平水流防水部材）
４６                  着脱片部
４７                  鉛直水流防水片部
４８                  ボタン
４９                  溝部
５０                  鉛直水流防水壁
５１                  段部
１００                水平水流
１０１                鉛直水流
【図１】
2017077378.tif 000003
【図２】
2017077378.tif 000004
【図３】
2017077378.tif 000005
【図４】
2017077378.tif 000006
【図５】
2017077378.tif 000007
【図６】
2017077378.tif 000008
【図７】
2017077378.tif 000009
【図８】
2017077378.tif 000010
【図９】
2017077378.tif 000011
【図１０】
2017077378.tif 000012
【図１１】
2017077378.tif 000013